(57)【要約】【課題】マグネトロン発振開始までの所要時間を短縮できる電圧制御を、簡単に実現することができる高周波誘電加熱用電力制御装置を提供すること。【解決手段】マグネトロン１２の発振開始を検知するマグネトロン発振検知機能と、インバータ回路を、マグネトロンの印加電圧を制御する電圧制御、あるいはインバータ回路の入力電流を制御する電力制御に切り換えて制御する電圧・電力制御機能と、スイッチング周波数の最低周波数を第２の周波数、あるいは第２の周波数より低い第１の周波数に制限する最低周波数制限機能と、を備え、電圧・電力制御機能および前記最低周波数制限機能を、インバータ回路の動作開始時は、前記電圧制御および前記第２の周波数に、前記マグネトロン発振検知機能がマグネトロンの発振開始を検知した後は、前記電力制御および前記第１の周波数に、それぞれ切り換えるように構成した。【選択図】図１
2014075206.tif 000002
【特許請求の範囲】
【請求項１】
交流電源の電圧を整流して得られる直流電源に、２個の半導体スイッチング素子からなる少なくとも一組以上の直列回路と、リーケージトランスの一次巻線とコンデンサを直列接続した共振回路とを並列接続し、前記半導体スイッチング素子のオン・オフ駆動信号のスイッチング周波数を変調して高周波電力に変換し、リーケージトランスの２次側に発生する出力をマグネトロンに印加して付勢するマグネトロン駆動用のインバータ回路を制御する高周波誘電加熱用電力制御装置であって、
前記マグネトロンの発振開始を検知するマグネトロン発振検知機能と、前記インバータ回路を、マグネトロンの印加電圧を制御する電圧制御、あるいはインバータ回路の入力電流を制御する電力制御に切り換えて制御する電圧・電力制御機能と、前記スイッチング周波数の最低周波数を、第２の周波数、あるいは前記第２の周波数より低い第１の周波数に切り換えて制限する最低周波数制限機能と、を備え、
前記電圧・電力制御機能および前記最低周波数制限機能を、前記インバータ回路の動作開始時は、前記電圧制御および前記第２の周波数に、前記マグネトロン発振検知機能がマグネトロンの発振開始を検知した後は、前記電力制御および前記第１の周波数に、それぞれ切り換える高周波誘電加熱用電力制御装置。
【発明の詳細な説明】
【技術分野】
【０００１】
本発明は、電子レンジなどのように、マグネトロンを用いた高周波加熱に関するものであり、特にそのインバータ回路に関するものである。
【背景技術】
【０００２】
高周波加熱装置に搭載されている従来の電源は重たくて、かつ大きいものであったので、その小型、軽量化が望まれてきた。このため、電源のスイッチング化による小型、軽量、低コスト化が現在の様々な分野で積極的に進められてきた。
【０００３】
マグネトロンで発生されるマイクロ波により食品を調理する高周波加熱装置では、マグネトロンを駆動するための電源の小型化、軽量化が要求され、スイッチング化されたインバータ回路により実現された。
【０００４】
このうち、特に、本発明が対象としている高周波インバータ回路は、２石でブリッジのアームを構成したスイッチング素子を用いた共振型回路方式のものである（例えば、特許文献１参照）。
【０００５】
１石型のトランジスタインバータ（オン・オフの幅制御）であれば、トランジスタのコレクタ−エミッタ間の耐圧１０００ボルト程度あるものを使う必要があるが、２石ブリッジ構成にすると、トランジスタのコレクタ−エミッタ間の耐圧はあまり必要としなくなる。
【０００６】
したがって、ブリッジ構成にすると、トランジスタのコレクタ−エミッタ間の耐圧は６００Ｖ位でよいので、安価なトランジスタを使用することができるので有利である。
【０００７】
次に、この種のインバータ電源回路（インダクタンスＬとキャパシタンスＣで直列共振回路を構成）における共振特性を図５に示す。
【０００８】
図５（ａ）は本発明の第１の実施の形態及び従来の高周波誘電加熱用電力制御装置におけるインバータ共振回路に一定電圧を印加した場合の周波数−共振回路の電流特性を示す特性図であり、横軸がスイッチング周波数、縦軸がリーケージトランスの一次側に流れる電流に相当する。
【０００９】
また、図５（ｂ）は本発明の第１の実施の形態及び従来の高周波誘電加熱用電力制御装置におけるインバータ共振回路に一定電圧を印加した場合の周波数−リーケージトランスの二次側電圧特性を示す特性図であり、横軸がスイッチング周波数、縦軸がリーケージトランスの二次側に発生する電圧に相当する。
【００１０】
直列共振回路のインピーダンスは、共振周波数ｆ０の時最小になり、その周波数から遠ざかるに従い増加するので、図５（ａ）の特性曲線（Ａ）に示されるように、共振周波数ｆ０で電流Ｉ１は最大になり、周波数がｆ１，ｆ２，ｆ３へと高くなるにしたがって電流Ｉ１は減少する。
【００１１】
実際のインバータ動作においては、共振周波数ｆ０より高いｆ１〜ｆ３の周波数範囲を使用し、さらには入力される電源が商用電源のような交流の場合、後述するように、マグネトロンの非線形負荷特性に合わせ、商用電源の位相に応じて、スイッチング周波数を変化させている。
【００１２】
図５（ａ）における特性曲線（Ａ）の共振特性を利用して、商用電源電圧に対するマグネトロン印加電圧の昇圧比を、比較的要求されない商用電源の瞬時電圧が最も高くなる、９０度および２７０度近傍の位相は、それぞれの高周波出力において、スイッチング周波数は最も高く設定している。
【００１３】
例えば、電子レンジを２００Ｗで使用する場合はｆ３近傍に、５００Ｗの場合はそれより低く、１０００Ｗの場合はさらに低い周波数になる。当然であるが、入力電力あるいは入力電流等を制御しているので、商用電源電圧、マグネトロン温度等の変化により、この周波数は変化している。
【００１４】
また、商用電源の瞬時電圧が最も低くなる０度および１８０度付近の位相においては、高電圧を印加しないと高周波発振しないマグネトロンの特性に合わせて、スイッチング周波数を共振周波数ｆ０近傍まで下げて、商用電源電圧に対するマグネトロン印加電圧の昇圧比を高め、マグネトロンから電波が発せられる商用電源の位相幅を広くする設定にしている。
【００１５】
このように、電源位相ごとのインバータ動作周波数を変えることで、基本波（商用電源周波数）成分の多い、また高調波成分の少ない電流波形を実現できる。
【００１６】
図６は従来の高周波誘電加熱用電力制御装置の一例としての特許文献１に記載の２石ブリッジのスイッチング素子で駆動する共振型高周波加熱装置の一例を示している。
【００１７】
図６において、高周波加熱装置は、直流電源１、リーケージトランス２、第１の半導体スイッチング素子３、第２の半導体スイッチング素子４、第１のコンデンサ５、第２のコンデンサ６、第３のコンデンサ（平滑コンデンサ）７、駆動部１３、二次側整流回路（全波倍電圧整流回路）１１、およびマグネトロン１２とから構成されている。
【００１８】
直流電源１は商用電源を全波整流して直流電圧ＶＤＣを、第２のコンデンサ６とリーケージトランス２の一次巻線８との直列回路に印加する。第１の半導体スイッチング素子３と第２の半導体スイッチング素子４とは直列に接続され、リーケージトランス２の一次巻線８と第２のコンデンサ６との直列回路は第２の半導体スイッチング素子４に並列に接続されている。
【００１９】
第１のコンデンサ５は第２の半導体スイッチング素子４に並列に接続され、第２のコンデンサ６に比較して小さい容量に設定され、スパイクノイズを抑制するスナバーの役割を有している。
【００２０】
リーケージトランス２の二次巻線９で発生した高電圧出力は、二次側整流回路１１で直流の高電圧に変換されてマグネトロン１２のアノード６９−カソード７０間に印加されている。リーケージトランス２の三次巻線１０は、マグネトロン１２のカソード７０に電流を供給する。
【００２１】
第１の半導体スイッチング素子３は、ＩＧＢＴと、それに並列に接続されるフライホイールダイオードとから構成されている。第２の半導体スイッチング素子４も同様にＩＧＢＴとダイオードとから構成されている。
【００２２】
当然であるが、前記第１の半導体スイッチング素子３、第２の半導体スイッチング素子４はこの種類に限定されるものではなく、サイリスタ、ＧＴＯスイッチング素子等を用いることもできる。
【００２３】
駆動部１３は、その内部に第１の半導体スイッチング素子３と第２の半導体スイッチング素子４の駆動信号をつくるための発振部を有し、この発振部で所定周波数の信号が発生され、前記第１の半導体スイッチング素子３、第２の半導体スイッチング素子４に相補形式のオン・オフ駆動信号を与えている。
【００２４】
第１の半導体スイッチング素子３および第２の半導体スイッチング素子４は、交互に駆動される。ところが、電子レンジのインバータ回路の場合、インバータ回路の動作開始後、マグネトロンの発振開始までの期間は、マグネトロンはその実効抵抗は略無限大（開放）である。
【００２５】
したがって、リーケージトランス２の二次側のインピーダンスは開放とみなされ、リーケージトランス２の一次巻線８の実効インダクタンスは大きくなり、第２のコンデンサ６との共振周波数は図５（ａ）の特性曲線（Ｂ）に示されるｆ０１まで低下し、共振の先鋭度（＝Ｑ）は高くなる。
【００２６】
この場合のリーケージトランス２の二次側に発生する電圧は、図５（ｂ）の特性曲線（Ｄ）のように非常に高くなるため、マグネトロンへの過大電圧印加を防止するための電圧制御がなされる。
【００２７】
他方、電圧制御は、マグネトロンのカソード電流（ヒータ電流）をより多く流すことでマグネトロン発振開始までの所要時間を短縮する目的を有し、両者を両立させるため、商用電源の瞬時電圧が最も高くなる９０度および２７０度近傍の位相においては、スイッチング周波数を高く設定して商用電源電圧に対する三次巻線電圧の昇圧比を抑制、瞬時電圧が最も低くなる０度および１８０度付近の位相においては、スイッチング周波数を共振周波数ｆ０１近傍まで下げて、昇圧比を高めるという、スイッチング周波数変調制御がなされる。
【００２８】
この電圧制御は、例えばリーケージトランス２の一次巻線８と第２のコンデンサ６との共振回路の接続点（Ｅ）の最大電圧を一定値に制御する等の回路構成が用いられ、またスイッチング周波数制御信号の基礎波形には、例えば商用電源電圧の両波整流波形情報が用いられる。
【００２９】
しかし前述したように、マグネトロンの発振開始までの期間は、共振回路の先鋭度は非常に高いため、電圧制御が不安定になりやすく、マグネトロン、二次側整流回路への過大電圧印加を生じ、部品破壊に繋がる場合もある。
【先行技術文献】
【特許文献】
【００３０】
【特許文献１】特開２０００−５８２５２号公報
【発明の概要】
【発明が解決しようとする課題】
【００３１】
しかしながら、前記従来の構成ではマグネトロンの発振開始までの期間は、共振回路の先鋭度は非常に高いため、電圧制御が不安定になりやすく、マグネトロン、二次側整流回路への過大電圧印加を生じ、部品破壊に繋がる場合もあるという課題を有していた。
【００３２】
本発明は、前記従来の課題を解決するもので、マグネトロンの発振開始までの期間、すなわち共振回路の先鋭度の非常に高い期間において、マグネトロン、二次側整流回路（全波倍電圧整流回路）への過大電圧印加を生じることなく、マグネトロン発振開始までの所
要時間を短縮できる電圧制御を適用させようとするもので、しかも極めて簡単な回路を付加することで、これを簡単に実現することができる高周波誘電加熱用電力制御装置を提供することを目的とする。
【課題を解決するための手段】
【００３３】
前記従来の課題を解決するために、本発明の高周波誘電加熱用電力制御装置は、交流電源の電圧を整流して得られる直流電源に、２個の半導体スイッチング素子からなる少なくとも一組以上の直列回路と、リーケージトランスの一次巻線とコンデンサを直列接続した共振回路とを並列接続し、前記半導体スイッチング素子のオン・オフ駆動信号のスイッチング周波数を変調して高周波電力に変換し、リーケージトランスの二次側に発生する出力をマグネトロンに印加して付勢するマグネトロン駆動用のインバータ回路を制御する高周波誘電加熱用電力制御装置であって、前記マグネトロンの発振開始を検知するマグネトロン発振検知機能と、前記インバータ回路を、マグネトロンの印加電圧を制御する電圧制御、あるいはインバータ回路の入力電流を制御する電力制御に切り換えて制御する電圧・電力制御機能と、前記スイッチング周波数の最低周波数を、第２の周波数、あるいは前記第２の周波数より低い第１の周波数に切り換えて制限する最低周波数制限機能と、を備え、前記電圧・電力制御機能および前記最低周波数制限機能を、前記インバータ回路の動作開始時は、前記電圧制御および前記第２の周波数に、前記マグネトロン発振検知機能がマグネトロンの発振開始を検知した後は、前記電力制御および前記第１の周波数に、それぞれ切り換えるように構成したものである。
【００３４】
これによって、マグネトロン発振開始までの所要時間を短縮できる電圧制御を、簡単に実現することができる。
【発明の効果】
【００３５】
本発明の高周波誘電加熱用電力制御装置は、マグネトロンの発振開始までの期間において、マグネトロン、および二次側整流回路への過大電圧印加防止と、マグネトロン発振開始までの所要時間短縮と、を実現する電圧制御であって、しかも簡単な回路の付加で、先鋭度の非常に高い共振回路の影響排除が可能となる。
【００３６】
また、マグネトロンの発振期間において、入力電流波形歪の低減を実現する電力制御であって、しかも、先鋭度の高い共振回路の影響排除が可能となる。
【図面の簡単な説明】
【００３７】
【図１】本発明の実施の形態１における２石ブリッジ構成のインバータ回路、およびその半導体スイッチング素子のスイッチング動作を制御する高周波誘電加熱用電力制御装置の制御回路を示す回路図
【図２】（ａ）本発明の実施の形態１における高周波誘電加熱用電力制御装置の制御回路の発振回路の一例を示す回路図（ｂ）本発明の実施の形態１における高周波誘電加熱用電力制御装置の発振回路の一例の発振回路の波形図
【図３】（ａ）本発明の実施の形態１における高周波誘電加熱用電力制御装置の制御回路のマグネトロン発振時における波形図（ｂ）本発明の実施の形態１における高周波誘電加熱用電力制御装置の制御回路のマグネトロン非発振時の波形図
【図４】本発明の実施の形態１における高周波誘電加熱用電力制御装置の制御回路の、ミックス回路と最低周波数制限回路の一例を示す回路図
【図５】（ａ）本発明の実施の形態１及び従来の高周波誘電加熱用電力制御装置におけるインバータ共振回路に一定電圧を印加した場合の周波数−共振回路の電流特性を示す特性図（ｂ）本発明の実施の形態１及び従来の高周波誘電加熱用電力制御装置におけるインバータ共振回路に一定電圧を印加した場合の周波数−リーケージトランスの二次側電圧特性を示す特性図
【図６】従来のインバータの２石ブリッジのスイッチング素子で駆動する共振型高周波加熱装置の一例を示す回路図
【発明を実施するための形態】
【００３８】
第１の発明は、交流電源の電圧を整流して得られる直流電源に、２個の半導体スイッチング素子からなる少なくとも一組以上の直列回路と、リーケージトランスの一次巻線とコンデンサを直列接続した共振回路とを並列接続し、前記半導体スイッチング素子のオン・オフ駆動信号のスイッチング周波数を変調して高周波電力に変換し、リーケージトランスの２次側に発生する出力をマグネトロンに印加して付勢するマグネトロン駆動用のインバータ回路を制御する高周波誘電加熱用電力制御装置であって、前記マグネトロンの発振開始を検知するマグネトロン発振検知機能と、前記インバータ回路を、マグネトロンの印加電圧を制御する電圧制御、あるいはインバータ回路の入力電流を制御する電力制御に切り換えて制御する電圧・電力制御機能と、前記スイッチング周波数の最低周波数を、第２の周波数、あるいは前記第２の周波数より低い第１の周波数に切り換えて制限する最低周波数制限機能と、を備え、前記電圧・電力制御機能および前記最低周波数制限機能を、前記インバータ回路の動作開始時は、前記電圧制御および前記第２の周波数に、前記マグネトロン発振検知機能がマグネトロンの発振開始を検知した後は、前記電力制御および前記第１の周波数に、それぞれ切り換えるとしたものである。
【００３９】
これによって、マグネトロンの発振開始までの期間において、マグネトロン、および二次側整流回路への過大電圧印加防止と、マグネトロン発振開始までの所要時間短縮とを実現することができる。
【００４０】
以下、本発明の実施の形態について、図面を参照しながら説明する。なお、この実施の形態によって本発明が限定されるものではない。
【００４１】
（実施の形態１）
図１は、本発明の第１の実施の形態におけるマグネトロン駆動用の２石ブリッジ構成インバータ回路と、その動作を制御する高周波誘電加熱用電力制御装置を示している。
【００４２】
図１において、この２石ブリッジ構成のインバータ回路は、商用電源を整流・平滑した直流電源１、リーケージトランス２、第１の半導体スイッチング素子３、第１のコンデンサ５、第２のコンデンサ６、第３のコンデンサ（平滑コンデンサ）７、第２の半導体スイッチング素子４、二次側整流回路１１、およびマグネトロン１２とで主回路が構成されている。主回路の構成は上述の図６と同じであるので、重複説明は省略する。
【００４３】
インバータ回路の第１の半導体スイッチング素子３、第２の半導体スイッチング素子４のスイッチング動作を制御する高周波誘電加熱用電力制御装置の制御回路１００は、インバータ回路への商用電源の入力電流を検出するカレントトランス１４、第１の整流回路１５、および平滑回路１６を備えて入力電流情報１７を作製する入力電流検出部１８、入力電流情報１７を高周波出力に応じて設定される第１の比較信号１９と参照し、電力制御情報２０を作成する入力電流比較部２１、入力電流情報１７が第２の比較信号２２を超えたことでマグネトロン１２の発振開始を検知し、マグネトロン発振検知情報２３を出力するマグネトロン発振検知部２４、リーケージトランス２の一次巻線８と第２のコンデンサ６との接続点（Ｅ）より取り出した共振回路電圧情報２５を、第３の比較信号２６と参照し、共振電圧制御情報２７を出力する共振電圧比較部２８、商用電源の入力電圧を検出する第２の整流回路２９、分圧回路３０よりなり、電源電圧波形情報３１を作製する入力電圧検出部３２、電源電圧波形情報３１を反転し、その交流成分と、マグネトロン発振検知情報２３に応じて選択される共振電圧制御情報２７と、電力制御情報２０と、を合成し、スイッチング周波数制御信号３３を作成するミックス回路３４、スイッチング周波数制御信
号３３に、マグネトロン発振検知情報２３に応じて選択される第２の周波数と、第２の周波数より低い第１の周波数とに切り換えて制限する最低周波数制限回路３５、スイッチング周波数制御信号３３により周波数制御され、三角波搬送波３６を作成する発振回路３７、三角波搬送波３６をスライス信号３８と参照するコンパレータ３９、およびその出力を第１の半導体スイッチング素子３，第２の半導体スイッチング素子４の駆動信号に変換するドライバ４０、よりなるスイッチングパルス作成部４１、より構成される。
【００４４】
図２（ａ）は本発明の第１の実施の形態における高周波誘電加熱用電力制御装置の制御回路の発振回路の一例を示す回路図であり、スイッチング周波数制御信号３３に制御され、三角波搬送波を作成する発振回路３７の構成を示す、図２（ｂ）は本発明の第１の実施の形態における高周波誘電加熱用電力制御装置の発振回路の一例の発振回路によって作成された三角波搬送波を示す波形図である。
【００４５】
コンデンサ４３は、電流Ｉ１２を反映するＩ１０、Ｉ１１で充放電され、参照電圧Ｖ１０、Ｖ２０でそれぞれ充放電が切り替わる。
【００４６】
この充放電電流Ｉ１０、Ｉ１１は、スイッチング周波数制御信号３３の電位を反映し、電位の低い方が、より大きい電流に変換するよう構成されている。
【００４７】
したがって、スイッチング周波数制御信号３３の電位に応じてその発振周波数は変化し、かつ電位の低い方が発振周波数は高くなる。
【００４８】
図３は、制御回路１００の波形図であり、図３（ａ）は本発明の第１の実施の形態における高周波誘電加熱用電力制御装置の制御回路のマグネトロン発振時の波形図、図３（ｂ）は本発明の第１の実施の形態における高周波誘電加熱用電力制御装置の制御回路のマグネトロン非発振時の波形図を示している。
【００４９】
図３（ａ）のマグネトロン発振時の波形図において、電源電圧波形情報３１は、反転、および電力制御情報２０により上下方向に電位変換され、スイッチング周波数制御信号３３となる。
【００５０】
さらに、スイッチング周波数制御信号３３の高電位側は、最低周波数制限回路３５による電位Ｖ１のクリップを受け、最低周波数はｆ１に制限される。
【００５１】
スイッチング周波数制御信号３３の電位に応じて、周波数を変化する三角波搬送波３６は、スライス信号３８を参照して、第１の半導体スイッチング素子３、第２の半導体スイッチング素子４の駆動信号に変換される。
【００５２】
第１の半導体スイッチング素子３、第２の半導体スイッチング素子４のスイッチング周波数の概略的な変化は、図のように、交流電源位相に応じて変化し、交流電源位相の０度（３６０度）、および１８０度近傍は商用電源の瞬時電圧値が低いので、スイッチング周波数を下げ、瞬時入力電力の低下を補正するように作用する。
【００５３】
また、９０度、および２７０度近傍は商用電源の瞬時電圧値が高いので、スイッチング周波数を上げ、瞬時入力電力の増加を抑えるように作用する。
【００５４】
このように構成することで、交流電源の全位相において、入力電力のピークを抑制しつつ、入力電力の低下をより広い位相で抑制する構成、すなわち入力電流波形歪を抑制する構成になる。
【００５５】
また、スイッチング周波数制御信号３３およびスイッチング周波数の波形において、実線は、点線に比べ、低い入力電力に制御（補正）された場合を示し、後述するように上下方向に作用する制御信号は電力制御情報２０である。
【００５６】
図３（ｂ）のマグネトロン非発振時の波形図において、電源電圧波形情報３１は、共振電圧制御情報２７による上下方向の電位変換する、および最低周波数制限回路３５による高電位側のクリップが図３（ａ）に比べ低い電位Ｖ２に、すなわちスイッチング周波数の最低周波数がｆ１１に高くなる、ことが図３（ａ）と異なる点である。
【００５７】
この場合もマグネトロンの発振時と同様、交流電源位相の０度（３６０度）、および１８０度近傍は商用電源の瞬時電圧値が低いので、スイッチング周波数を下げ、マグネトロンの瞬時ヒータ電力の低下を補うように作用する。
【００５８】
また、９０度、および２７０度近傍は商用電源の瞬時電圧値が高いので、スイッチング周波数を上げ、高圧トランス二次側の瞬時電圧増加を抑制、すなわちマグネトロンの瞬時印加電圧を抑制するように作用する。
【００５９】
このように構成することで、交流電源の全位相において、マグネトロンへの印加電圧のピークを抑制しつつ、ヒータ電力の低下をより広い位相で補正する構成、すなわちより多くのヒータ電力を供給する構成になり、マグネトロン発振開始までの所要時間を短縮できる。
【００６０】
また、スイッチング周波数制御信号３３およびスイッチング周波数の波形において、実線は、点線に比べ、マグネトロンへの印加電圧を低く制御（補正）された場合を示し、後述するように上下方向に作用する制御信号は共振電圧制御情報２７である。
【００６１】
図４は、ミックス回路３４、および最低周波数制限回路３５、の回路図である。ミックス回路３４において、電源電圧波形情報３１は、反転処理を受けた後、コンデンサカップリングにより、その交流成分が抽出される。
【００６２】
電力制御情報２０は、入力電流情報１７の値が高周波出力に応じて設定される第１の比較信号１９に比べ高い場合、ＳＷ１を閉じ、スイッチング周波数制御信号３３の直流成分を下げ、スイッチング周波数を上げる方向、すなわち入力電流を下げる極性に作用する。
【００６３】
共振電圧制御情報２７は、共振回路電圧情報２５の値が第３の比較信号２６に比べ高い場合、ＳＷ２を閉じ、スイッチング周波数制御信号３３の直流成分を下げ、スイッチング周波数を上げる方向、すなわち共振回路電圧情報２５（共振電圧）を下げる極性に作用する。
【００６４】
この共振電圧は、リーケージトランス２等を通じ、マグネトロンの印加電圧に反映される、インバータ回路のスイッチング動作開始時、マグネトロン発振検知部２４はマグネトロンの発振を検知していないため、マグネトロン発振検知情報２３はＳＷ３（ｂ）接点を閉じ、共振電圧制御情報２７のスイッチング周波数制御信号３３への作用を有効にし、マグネトロンの印加電圧を制御する電圧制御機能が構成される。
【００６５】
マグネトロン発振検知部２４は、入力電流情報１７が第２の比較信号２２を超えたことでマグネトロンの発振開始を検出すると、マグネトロン発振検知情報２３は有効になり、ＳＷ３（ａ）接点を閉じ、電力制御情報２０のスイッチング周波数制御信号３３への作用を有効にし、インバータ回路の入力電流を制御する電力制御機能が構成される。
【００６６】
反転された電源電圧波形情報３１の交流成分は、共振電圧制御情報２７、あるいは電力制御情報２０と合成され、最低周波数制限回路３５に入力される。
【００６７】
最低周波数制限回路３５において、マグネトロン発振検知情報２３がマグネトロンの発振を検知していない期間は、ＳＷ４は（ｂ）接点側に接続され電圧Ｖ２が選択される。
【００６８】
マグネトロンの発振が検知されると、ＳＷ４は（ａ）接点側に接続され、電圧Ｖ２より高い電圧Ｖ１が選択される。
【００６９】
したがって、マグネトロンの発振／非発振の状態に応じて、スイッチング周波数制御信号の高電位側の制限値、すなわちスイッチング周波数の最低側制限周波数が切り替わり、マグネトロンの非発振時は第２の周波数（ｆ１１）、発振検知後は第２の周波数より低い第１の周波数（ｆ１）に切り換えて制限する。
【００７０】
このように、マグネトロンの非発振時は、最低周波数を、共振周波数ｆ１０を避けた第２の周波数（ｆ１１）に制限することで、電圧制御機能を安定に動作するように、また発振時は、最低周波数を、第２の周波数（ｆ１１）より低く、かつ共振周波数ｆ１を避けた第１の周波数（ｆ１）に制限することで、電力制御機能が安定に動作すると同時に、入力電流波形歪を軽減することができる。
【００７１】
なお、図４の電源電圧波形情報３１の代わりに、図示していないが、マグネトロン発振検知情報２３が発振を検知している期間において、図１のカレントトランス１４、および第１の整流回路１５を通じて得られる入力電流波形情報４２を使用するよう構成すると、入力電源電流波形の歪補正により有効である。
【００７２】
これは、入力電流波形情報４２に含まれる入力電源電流波形の歪情報を、逆極性で補正する（打ち消す）という原理に基づく。
【産業上の利用可能性】
【００７３】
以上のように、本発明にかかる高周波誘電加熱用電力制御装置は、マグネトロン非発振時において、マグネトロン印加電圧のピーク値を制限しつつ、カソード入力電力を増すよう制御するので、マグネトロンおよび二次側整流回路への過大電圧印加を防止しつつ、発振開始までの所要時間短縮が可能となり、また、マグネトロン発振時は、瞬時入力電力のピーク値を抑制しつつ、商用電源位相内のマグネトロン発振の位相幅を拡大するよう作用するので、商用電源の電流波形歪の抑制が可能となるので、マグネトロンを使用した機器の用途に有効である。
【符号の説明】
【００７４】
１  直流電源
２  リーケージトランス
３  第１の半導体スイッチング素子
４  第２の半導体スイッチング素子
５  第１のコンデンサ
６  第２のコンデンサ
７  第３のコンデンサ
８  一次巻線
９  二次巻線
１０  三次巻線
１１  二次側整流回路
１２  マグネトロン
１３  駆動部
１４  カレントトランス
１５  第１の整流回路
１６  平滑回路
１７  入力電流情報
１８  入力電流検出部
１９  第１の比較信号
２０  電力制御情報
２１  入力電流比較部
２２  第２の比較信号
２３  マグネトロン発振検知情報
２４  マグネトロン発振検知部
２５  共振回路電圧情報
２６  第３の比較信号
２７  共振電圧制御情報
２８  共振電圧比較部
２９  第２の整流回路
３０  分圧回路
３１  電源電圧波形情報
３２  入力電圧検出部
３３  スイッチング周波数制御信号
３４  ミックス回路
３５  最低周波数制限回路
３６  三角波搬送波
３７  発振回路
３８  スライス信号
３９  コンパレータ
４０  ドライバ
４１  スイッチングパルス作成部
４２  入力電流波形情報
４３  コンデンサ
６９  アノード
７０  カソード
１００  制御回路
【図１】
2014075206.tif 000003
【図２】
2014075206.tif 000004
【図３】
2014075206.tif 000005
【図４】
2014075206.tif 000006
【図５】
2014075206.tif 000007
【図６】
2014075206.tif 000008